(57)【要約】【課題】吊り手の付いた魚釣用オモリの材質を、鉛製から鋳鉄製あるいは鉄や真鍮などの金属に変え、なおかつ生産性向上させて、より一層安価で環境に与える影響の少ない釣用オモリの提供。【解決手段】オモリ本体１の頭部５にネジ穴４を設け、このネジ穴４に吊り手２の付いた雄ネジ３をねじ込んで、オモリ本体１と吊り手２付き雄ネジ３を一体として使用する釣用オモリ。【選択図】図１
0003127488.tif 000002
【実用新案登録請求の範囲】
【請求項１】
オモリ本体の頭部にネジ穴を設け、このネジ穴に、釣用仕掛や釣道具と連結させるための、吊り手と呼ばれる環を頭部に有する雄ネジを、ねじ込んで、オモリ本体と一体として使う事を特徴とした釣用オモリ。
【請求項２】
オモリ本体の材質が、鋳鉄あるいは鋼などの鉄や、あるいは真鍮で出来ている事を特徴とする請求項１の釣用オモリ。
【考案の詳細な説明】
【技術分野】
【０００１】本考案は釣用オモリに関するものである。
【背景技術】
【０００２】従来、魚釣用の仕掛と連結して、水中に沈めたり、あるいは遠方に飛ばして沈めたりする、いわゆる環付オモリと呼ばれる、吊り手の付いた釣用オモリの製造方法には、金属線材製の吊り手を鋳型にインサートし、そこに鉛を鋳込んで作った物や、鋳鉄で鋳造時に鋳型で釣用オモリ本体と一体の吊り手を成型した物や、鋳鉄で鋳造時に鉄製の吊り手をインサートして置き、そこに鋳鉄を鋳込んで作る方法や、あるいは、鋳鉄を鋳型に流し込んだ後、鋳鉄が冷えて固まる前に、吊り手を差し込んで、冷却して固定する方法などがあった。
また、オモリ本体頭部に穴を設け、吊り手をインサートして、溶融金属や合成樹脂を流し込んで固定して作る（特許文献１）方法や、ロストワックス製法で金属類を鋳込み、吊り手と一体成型する方法などがあった。【０００３】
【特許文献１】  特願２００５−３５９５７４
【考案の開示】
【考案が解決しようとする課題】
【０００４】従来、魚釣用のオモリに使用されている材質には、鉛や鋳鉄、あるいは鉄筋棒等があり、大別して、鋳鉄や鉄筋棒は安価であるため、重い重量を必要とする漁業用として多く用いられ、鉛は鋳鉄や鉄筋棒に比べると、多少高価ではあるが、鉛の比重は鉄の比重７．８５ｇ／立方センチメートルと比べると、１１．３６ｇ／立方センチメートルと、大きいため、鉄と同等の重量では体積が小さくなり、魚釣用の仕掛を水中へ投下する時に、水の抵抗や潮流の影響も小さくなり、また、投げ釣等では、空気抵抗も小さくなるため、遊漁用のオモリとして多く用いられて来た。【０００５】しかし、近年、鉛による環境汚染の拡大が問題になり、特に、遊漁者が比較的多く鉛のオモリを使用する沿岸域や、湖沼等ではその使用を危ぶむ声も大きくなって来ている、そのため、一部では鉛のオモリに塗料や合成樹脂でコーティングして、少しでも環境に与える影響を軽減しようとしているが、鉛を使用している事には変わりなく、また、一部ではあるが遊漁者向けの鋳鉄製のオモリも作られてはいるが、釣用オモリと魚釣用の仕掛を連結するための環と呼ばれている吊り手を鋳型に作らねばならず、鋳造時の鋳鉄の流れ具合や強度を考慮すると、肉太の大きな造りの吊り手になってしまい、魚釣用の仕掛との連結もしにくく、安価ではあるが、はなはだ使い勝手が悪かった。【０００６】一方、あらかじめ作っておいた鉄線製の吊り手を、鋳型にインサートして、鋳鉄を鋳込む方法もあるが、鋳鉄の融点がおよそ１５００度もの高温であるため、吊り手の一部が溶けて細く成ったり、熱により、吊り手の材質に変化が生じ、柔らかくなったり、折れやすく成ったりして、不良品も多く発生し、生産効率も悪く、製造に熟練を必要としたため、従来の鉛製の釣用オモリよりも高価なものとなってしまった。【０００７】また、鋳型に鋳鉄を流し込んで置いて、鋳鉄が固まる前に吊り手を差し込んで冷却して固定する方法でも、天候や差し込むタイミング、吊り手の位置決め等の条件がむずかしく、不良品も多く発生し生産性も低かった。【０００８】ましてや、鋳鉄で釣用オモリ１０号と呼ばれている、重量が３７．５ｇ以下の吊り手の付いた軽量の釣用オモリを作ることは、鋳鉄の容積が小さいため、高温に耐えられるように、鉄線製で作った吊り手は線径も太くなり、オモリ本体とのバランスも悪く、機能面からも不向きであった。【０００９】オモリ本体の頭部に穴を設けて、金属線材製の吊り手をインサートして合成樹脂や溶融金属を流し込んで硬化固定させた釣用オモリでは、流し込む合成樹脂の硬化後の樹脂面のひけ防止のため、粘度を高くした合成樹脂を穴に流し込むので、穴がふたをされたような状態になり、エアーが抜けにくくなったり、硬化するのに長時間掛かった。
一方、溶融金属を流し込んで硬化固定する方法では、溶けた金属を小さな穴にすばやく流し込まなければならず、冷えて固まりやすい金属で生産性を挙げるためには、熟練を要する必要性があった。
また、価格面を無視すればロストワックス製法などで作る事は可能であるが、消耗品である釣用オモリにおいては、高価で不向きであった。【００１０】本考案は、鉛製で出来ていた釣用オモリの材質を、鋳鉄や鉄、あるいは環境に対する影響の少ない金属類などへの移行を目指し、製造時の諸問題を解決し、環境にやさしい釣用オモリを提供する事を目的としたものである。
【課題を解決するための手段】
【００１１】この目的を解決するために、請求項１、２に記載した釣用オモリは、オモリ本体の材質を鋳鉄で鋳造したり、鉄や真鍮を削りだして作り、このオモリ本体の頭部に雌ネジ構造を有する穴を設け、このネジ穴に魚釣用の仕掛や、釣道具と連結させるための吊り手と呼ばれている環を頭部に有する雄ネジをネジ込んで、オモリ本体と吊り手付き雄ネジを一体として使うことを特徴とする釣用オモリである。なお、オモリ本体の形状は自由であり、また、吊り手付き雄ネジの吊り手部分の形状は、魚釣用の仕掛や釣道具と連結でき、なおかつ、この連結したものが自然にはずれない形状であれば自由であり、その材質は金属、や合成樹脂が考えられるが、オモリ重量や使用用途に耐えられる強度が有れば自由である。
【考案の効果】
【００１２】以上のように、本考案の釣用オモリは、オモリ本体の頭部に設けられたネジ穴に、吊り手付の雄ネジをねじ込んで組み立てられるので、他の吊り手付きの釣用オモリの製造のように、吊り手の取り付けに、温度による影響や、合成樹脂の硬化待ちの時間や、熟練度も不要となり、誰でも簡単に組み立てられ、釣用オモリの重量や使用用途によって金属製あるいは合成樹脂製の吊り手付き雄ネジの使用が可能となり、作業の効率アップや、製造のコストダウンがはかられる。一方、吊り手付き雄ネジにすることにより、水深の深さ変化や、潮流の変化等にも、オモリ本体のみを変えることで、迅速に対応出来、吊り手に直接釣用仕掛けを結び付けて使用する場合では、あらかじめ、いくつかの仕掛けに吊り手を結び付けておけば、オモリをねじ込むだけで使用出来るので便利である。また、吊り手を固定するための溶融金属や合成樹脂を流し込む必要がないので、ネジ穴を小さく出来るため、オモリ本体頭部の大きさを小さく出来、海底や湖底などにオモリの頭部が引っかかる、いわゆる根掛りと言われている原因のひとつも軽減でき、ひいては、環境にやさしい非鉛製の環付きオモリをより安価にて提供することが出来る。
【考案を実施するための最良の形態】
【００１３】以下、図１，２によって本考案の実施形態を説明する。
図１に示すように、オモリ本体１の頭部５に設けられたネジ穴４に、吊り手２の付いた雄ネジ３をねじ込んで、図２に示すように、オモリ本体１と吊り手２付き雄ネジ３を一体とした釣用オモリである。
【図面の簡単な説明】
【００１４】
【図１】本考案の吊り手２付き雄ネジ３を、オモリ本体１の頭部５のネジ穴４にねじ込む前の斜視図である。
【図２】本考案の吊り手２付き雄ネジ３が、オモリ本体１の頭部５のネジ穴４にねじ込まれ、オモリ本体１と吊り手２付き雄ネジ３が、一体となった斜視図である。
【符号の説明】
【００１５】１は  オモリ本体
２は  吊り手
３は  雄ネジ
４は  ネジ穴
５は  頭部
【図１】
0003127488.tif 000003
【図２】
0003127488.tif 000004